(57)【要約】【課題】本発明は紙製容器にラップ掛けした場合の容器側板の内方への変形を有効に防止し、外観を健全に維持すると共に、健全にラップ掛けでき、側板が変形して収容部内の収容物を損傷する問題をも有効に解消できるラップ掛け用紙製容器を提供する。【解決手段】方形の底板２と該底板２の四辺から立ち上げた四側板３乃至６を有し、該底板２と四側板３乃至６で上方に開放せる収容部７を画成して成るラップ掛け用紙製容器において、対向する一対の側板３，５の上辺から下辺に向け折り返されて側板３，５の外側面に重畳されたラップ掛け板１３を設けたラップ掛け用紙製容器。【選択図】        図７
2008273552.tif 000002
【特許請求の範囲】
【請求項１】
方形の底板と該底板の四辺から立ち上げた四側板を有し、該底板と四側板で上方に開放せる収容部を画成して成るラップ掛け用紙製容器において、対向する一対の側板の上辺から下辺に向け折り返されて側板の外側面に重畳されたラップ掛け板を設けたことを特徴とするラップ掛け用紙製容器。
【請求項２】
上記ラップ掛け板の下端内側面を上記底板外底面に接着し、上記対向する一対の側板の外側面とこれに重畳せるラップ掛け板の内側面間に間隙を形成した構造を有することを特徴とする請求項１記載のラップ掛け用紙製容器。
【請求項３】
上記ラップ掛け板の下端内側面を上記対向する一対の側板の下端外側面に接着し、該側板の外側面とこれに重畳せるラップ掛け板の内側面間に間隙を形成した構造を有することを特徴とする請求項１記載のラップ掛け用紙製容器。
【請求項４】
上記ラップ掛け板の内側面の略全面を上記対向する一対の側板の外側面に接着した貼り合わせ構造を有することを特徴とする請求項１記載のラップ掛け用紙製容器。
【請求項５】
上記対向する一対の側板とラップ掛け板間の連設部に形成された折り返し曲げ部分が上記側板の上辺から上方へ僅かに突出した構造を有することを特徴とする請求項１又は２又は３又は４記載のラップ掛け用紙製容器。
【発明の詳細な説明】
【技術分野】
【０００１】
本発明は食品を収容する紙製容器、特に食品を収容した後にフィルムラップ掛けされる紙製容器に関する。
【背景技術】
【０００２】
図１０乃至図１２に示すように、上記紙製容器１は方形の底板２と、該底板２の四辺から立ち上げた四側板３乃至６を有し、該底板２と四側板３乃至６にて上部開放口８を有する収容部７を画成し、該収容部７に食品等を収容した後、対向する一対の側板３，５にフィルム９をラップ掛けして上記開放口８を覆っている。
【０００３】
上記紙製容器１は一般的に対向する一対の側板３，５が左右方向に長く、他の対向する一対の側板４，６が左右方向に短く、全体として長方形を呈しており、又各側板３乃至６を逆台形にして上方へ向け僅かに外傾斜せしめることにより、上記収容部７を上方へ向け漸次拡径し上部開放口８を形成している。
【０００４】
又上記隣接する側板３乃至６間に襠板１０を連設し、該襠板１０を三角形に重ね折りしつつ上記短側板４，６の外側面に接着することにより上記容器形状を保形しており、該襠板１０が接着されていない長側板３，５が上記ラップ掛けに供されている。
【発明の開示】
【発明が解決しようとする課題】
【０００５】
上記ラップ掛け用紙製容器１においては、上記ラップ掛けに供される一対の長側板３，５の上端（上辺）にフィルム９によるラップ掛け力が加わり、同側板３，５が図１１，図１２に示すように内方へ湾曲状に変形し、外観を損なう問題点を有している。
【０００６】
加えて上記側板３，５の変形によりラッピング不良を来す恐れ、或いは収容部７を狭め収容物を損傷する問題点を有している。
【課題を解決するための手段】
【０００７】
本発明は上記ラップ掛けに供される側板のラップ掛け強度を強化し、上記問題点を払拭するラップ掛け用紙製容器を提供するものである。
【０００８】
その手段として、紙製容器の対向する一対の側板の上辺にラップ掛け板を連設し、該ラップ掛け板を同上辺から下辺に向け折り返して側板の外側面に重畳した構造にし、該ラップ掛け板の折り返し曲げ部分でラップ掛け力を受圧しつつラップ掛け板の外側面にラップ掛けし受圧するようにしたものである。
【０００９】
上記ラップ掛け板はその下端内側面を上記容器底板の外底面に接着した構造にする。又は上記ラップ掛け板の下端内側面を上記対向する一対の側板の下端外側面に接着した構造にする。
【００１０】
上記ラップ掛け板の何れの端部接着例においても、上記対向する一対の側板外側面とラップ掛け板の内側面間には間隙を形成する。又は間隙を生成せずに面接触状態（自由接触面）にする。
【００１１】
又は対向する一対の側板外側面とこれに対面し重畳するラップ掛け板の内側面間を略全面接着又は点接着し貼り合わせ構造にする。
【００１２】
上記端部接着構造、全面接着構造と点接着構造は何れも上記重畳構造に包含されるものである。
【００１３】
好ましくは、上記対向する一対の側板と各ラップ掛け板間の連設部に形成された折り返し曲げ部分を上記側板の上辺から上方へ僅かに突出せしめ、該突出部でラップ掛け力を受圧する構造にする。
【発明の効果】
【００１４】
本発明に係る上記ラップ掛け用紙製容器によれば、上記ラップ掛け板の折り返し曲げ部分とラップ掛け板本体にラップ掛け力が加わり、ラップ掛け板と容器側板とが協働してラップ掛け強度を増強する作用と相俟って、同容器側板の内方への変形を有効に防止し、外観を健全に維持すると共に、健全にラップ掛けでき、側板が変形して収容部内の収容物を損傷する問題をも有効に解消できる。
【発明を実施するための最良の形態】
【００１５】
図１乃至図４は本発明の第一実施形態例、図５乃至図９は同第二実施形態例を示し、以下各実施形態例に共通な容器構造について説明する。
【００１６】
ラップ掛け用紙製容器１は方形の底板２と、該底板２の四辺から立ち上げた方形の四側板３乃至６を有し、該底板２と四側板３乃至６にて上部開放口８を有する収容部７を画成している。
【００１７】
上記隣接する側板３乃至６間には襠板１０を連設し、該襠板１０を三角形に重ね折りしつつ上記側板４，６の外側面に接着することにより上記容器形状を保形する。上記四側板３乃至６の上下方向の幅は互いに等幅である。
【００１８】
図４，図８の展開図に点線で示す１１は四側板３乃至６を立ち上げるための折線であり、同１２は襠板１０を三角形に重ね折りするための折線である。
【００１９】
上記紙製容器１は対向する一対の側板３，５が左右方向に長く、他の対向する一対の側板４，６が左右方向に短く、全体として長方形を呈しており、又各側板３乃至６を逆台形にし、容器１として組み立てた時に各側板３乃至６が上方へ向け僅かに外傾斜するように立ち上げて上記収容部７を上方へ向け漸次拡径し、拡口された上部開放口８を形成する。
【００２０】
上記紙製容器１の対向する一対の側板３，５、即ち上記襠板１０が貼り合わされていない左右方向に長い側板３，５の上辺にラップ掛け板１３を連設し、該ラップ掛け板１３を同上辺から下辺に向け折り返して各側板３，５の外側面に重畳した構造にする。１６はラップ掛け板１３の折り返し曲げ部分を示す。
【００２１】
次いで上記ラップ掛け板１３に関する各実施形態例において特有な構造について説明する。
【００２２】
＜第一実施形態例・・・図１乃至図４参照＞
図２Ａに示すように、上記各ラップ掛け板１３の上下方向の幅Ｗ１を上記対向する側板３，５の上下方向の幅Ｗ２と略等幅にし、又は各ラップ掛け板１３の上下方向の幅Ｗ１を上記対向する側板３，５の上下方向の幅Ｗ２より僅かに広幅にし、同ラップ掛け板１３の下端内側面を側板３，５の外側面、即ち側板３，５の下端外側面に帯状接着又は点接着１４し、側板３，５の外側面とラップ掛け板１３の内側面間に間隙１５を形成した構造にする。
【００２３】
又は他例として図２Ｂに示すように、上記ラップ掛け板１３の上下方向の幅Ｗ１を容器側板３，５の上下方向の幅Ｗ２と略等幅にし、上記容器側板３，５の外側面とこれに対向するラップ掛け板１３の内側面を略全面接着又は点接着１４した貼り合わせ構造にする。
【００２４】
又は図示は省略するが、上記各ラップ掛け板１３の上下方向の幅Ｗ１を側板３，５の上下方向の幅Ｗ２の略中間部に達する幅にし、同ラップ掛け板１３の下端内側面（ラップ掛け板１３の下辺に沿う内側面）を上記容器側板３，５の外側面の中間部に帯状接着又は点接着１４し、側板３，５の外側面とラップ掛け板１３の内側面間に間隙１５を形成した構造にする。
【００２５】
又は上記各ラップ掛け板１３の上下方向の幅Ｗ１を側板３，５の上下方向の幅Ｗ２の略中間部に達する幅にし、上記容器側板３，５の外側面とこれに対向するラップ掛け板１３の内側面を略全面接着又は点接着１４した貼り合わせ構造にする。
【００２６】
図３に示すように、フィルム９は上記容器１の上部開放口８を覆いつつ上記ラップ掛け板１３の折り返し曲げ部分１６を経てラップ掛け板１３の外側面から底板２の外底面に亘りラップ掛けされ、上記ラップ掛け板１３の折り返し曲げ部分１６とラップ掛け板１３外側面にてラップ掛け力を受圧する。
【００２７】
上記ラップ掛け力、即ちラップ掛けに伴う緊張力は主として側板３，５とラップ掛け板１３の連設部、即ち折り返し曲げ部分１６に加わり、該折り返し曲げ部分１６とラップ掛け板１３本体によって耐力を発揮すると共に、側板３，５とラップ掛け板１３の重畳構造が協働してラップ掛け強度を増強し変形を防止する。
【００２８】
上記ラップ掛け板１３の端部接着１４によって維持される上記間隙１５はラップ掛け力に対する反発力を高め、側板３，５の変形防止に有効に機能し、又間隙１５によってラップ掛け板１３の変形を吸収する。
【００２９】
上記効果をより有効に達成する手段として、図３に示すように、上記対向する一対の側板３，５と各ラップ掛け板１３間の連設部に形成された折り返し曲げ部分１６を上記長側板３，５の上辺、即ち上記四側板３乃至６の上辺から上方へ僅かに突出せしめ、該折り返し曲げ部分である突出部１６でラップ掛け力を受圧する構造にする。
【００３０】
図４に示すように、上記折り返し曲げ部分１６、即ち突出部１６を形成する手段として、上記側板３，５の上辺と、ラップ掛け板１３の基部に互いに並行な折線１７を設け、折線１７，１７間に狭幅の折り返し曲げ部分形成しろ１８を形成する。
【００３１】
ラップ掛け板１３を上記折線１７，１７を介して折り返し曲げすることにより上記突出部１６を形成する。
【００３２】
更にラップ掛け板１３の上下方向の幅Ｗ１を側板３，５の上下方向の幅Ｗ２より僅かに幅広にする。例えば側板３，５の上下方向の幅Ｗ２を４０ｍｍにした場合、ラップ掛け板１３の幅Ｗ１を４３ｍｍにし、更に上記折り返し曲げ部分形成しろ１８を３ｍｍ以下にする。
【００３３】
上記ラップ掛け板１３の下端を側板３，５の外側面に接着１４することによって、上記折り返し曲げ部分形成しろ１８による突出部１６が有効に形成される。同時にラップ掛け板１３を外反り方向に付勢する作用を招来し、間隙１５を有効に生成し、ラップ掛け力に対する弾性反発力（抗力）を高め、ラップ掛け力に対する吸収作用を発揮し、変形防止に有効に機能する。
【００３４】
ラップ掛けした場合、ラップ掛け力によって上記突出部１６が下方へ押圧され、その反作用による弾発力にてラップ掛けされたフィルム９を上部開放口８において緊張する作用を生む。この作用はラップ掛け板１３に外反力を与えて端部接着することにより更に増幅される。
【００３５】
又ラップ掛け力により折り返し曲げ部分形成しろ１８に相当する受圧面を形成し、該受圧面の外側折り曲げ角部（外側折線１７）にラップ掛け力が加わりラップ掛け抗力を向上する。
【００３６】
＜第二実施形態例・・・図５乃至図９参照＞
図６Ａに示すように、各ラップ掛け板１３の下端に折線１９を介して接着フラップ２０を連設し、ラップ掛け板１３の下端内側面、即ち接着フラップ２０を容器底板２に向け折り曲げて該接着フラップ２０の内側面を上記容器底板２の外底面の縁面に接着１４した構造にする。
【００３７】
上記各ラップ掛け板１３の本体部分（接着フラップ２０を除いた部分）の上下方向の幅Ｗ１を上記対向する側板３，５の上下方向の幅Ｗ２と略等幅にし、又は各ラップ掛け板１３の本体部分の上下方向の幅Ｗ１を上記対向する側板３，５の上下方向の幅Ｗ２より僅かに幅広にし、同ラップ掛け板１３の下端内側面（接着フラップ２０の内側面）を底板２の外底面、即ち対向する二辺に沿う縁面に帯状接着又は点接着１４し、側板３，５の外側面とラップ掛け板１３の内側面間に間隙１５を形成した構造にする。
【００３８】
又は他例として図６Ｂに示すように、上記ラップ掛け板１３本体の上下方向の幅Ｗ１を容器側板３，５の上下方向の幅Ｗ２と略等幅にし、上記容器側板３，５の外側面とこれに対向するラップ掛け板１３の内側面を略全面接着又は点接着１４すると共に、接着フラップ２０の内側面を底板２の外底面に略全面接着又は点接着１４した貼り合わせ構造にする。
【００３９】
図７に示すように、フィルム９は上記容器１の上部開放口８を覆いつつ上記ラップ掛け板１３の折り返し曲げ部分１６を経てラップ掛け板１３の外側面から底板２の外底面に亘りラップ掛けされ、上記ラップ掛け板１３の折り返し曲げ部分１６とラップ掛け板１３外側面にてラップ掛け力を受圧する。
【００４０】
上記ラップ掛け力、即ちラップ掛けに伴う緊張力は主として側板３，５とラップ掛け板１３の連設部、即ち折り返し曲げ部分１６に加わり、該折り返し曲げ部分１６とラップ掛け板１３本体によって耐力を発揮すると共に、側板３，５とラップ掛け板１３の重畳構造が相俟ってラップ掛け強度を増強し変形を防止する。
【００４１】
上記接着１４によって維持される上記間隙１５はラップ掛け力に対する反発力を高め、側板３，５の変形防止に有効に機能し、又間隙１５によってラップ掛け板１３の変形を吸収する。
【００４２】
上記効果をより有効に達成する手段として、図５乃至図６に示すように、上記対向する一対の側板３，５と各ラップ掛け板１３間の連設部に形成された折り返し曲げ部分１６を上記側板３，５の上辺、即ち上記四側板３乃至６の上辺から上方へ僅かに突出せしめ、該折り返し曲げ部分、即ち突出部１６でラップ掛け力を受圧する構造にする。
【００４３】
図８に示すように、上記折り返し曲げ部分１６、即ち突出部１６を形成する手段として、上記側板３，５の上辺と、ラップ掛け板１３の基部に互いに並行な折線１７を設け、折線１７，１７間に狭幅の折り返し曲げ部分形成しろ１８を形成する。
【００４４】
上記ラップ掛け板１３を折線１７，１７を介して折り返し曲げすることにより上記突出部１６を形成する。
【００４５】
更にラップ掛け板１３の上下方向の幅Ｗ１を側板３，５の上下方向の幅Ｗ２より僅かに幅広にする。例えば側板３，５の上下方向の幅Ｗ２を４０ｍｍにした場合、ラップ掛け板１３の幅Ｗ１を４３ｍｍにし、更に上記折り返し曲げ部分形成しろ１８を３ｍｍ以下にする。
【００４６】
上記ラップ掛け板１３の下端、即ち接着フラップ２０を底板２の外底面に接着１４することによって、上記折り返し曲げ部分形成しろ１８による突出部１６が有効に形成される。同時にラップ掛け板１３を外反り方向に付勢する作用を招来し、間隙１５を有効に生成し、ラップ掛け力に対する弾性反発力（抗力）を高め、ラップ掛け力に対する吸収作用を発揮し、変形防止に有効に機能する。
【００４７】
ラップ掛けした場合、ラップ掛け力によって上記突出部１６が下方へ押圧され、その反作用による弾発力にてラップ掛けされたフィルム９を上部開放口８において緊張する作用を生む。この作用はラップ掛け板１３に外反力を与えて端部接着することにより更に増幅される。
【００４８】
又ラップ掛け力により折り返し曲げ部分形成しろ１８に相当する受圧面を形成し、該受圧面の外側折り曲げ角部（外側折線１７）にラップ掛け力が加わりラップ掛け抗力を向上する。
【００４９】
図９に示すように、上記ラップ掛け板１３下端の接着フラップ２０は端部を内側へ重ね折りし、接着フラップ２０の内側の重ね折片２１を底板２外底面に接着し貼り合わせ構造にする。
【００５０】
以上の通り、上記第一，第二実施形態で述べたラップ掛け板１３の下端部を側板３，５又は底板２に接着１４する何れの端部接着例においても、上記対向する一対の側板３，５外側面とラップ掛け板１３の内側面間には間隙１５を形成する。又は間隙１５を生成せずに面接触状態（自由接触面）にする。
【００５１】
又は対向する一対の側板３，５外側面とこれに対面し重畳するラップ掛け板１３の内側面間を略全面接着又は点接着１４し貼り合わせ構造にする。
【００５２】
上記ラップ掛け板１３の端部接着構造、全面接着構造と点接着構造は何れも上記重畳構造に包含されるものである。
【００５３】
上記ラップ掛け用紙製容器１によれば、上記ラップ掛け板１３の折り返し曲げ部分１６とラップ掛け板１３本体にフィルム９によるラップ掛け力が加わり、ラップ掛け板１３と容器側板３，５とが協働してラップ掛け強度を増強する作用と相俟って、同容器側板３，５の内方への変形を有効に防止し、外観を健全に維持すると共に、健全にラップ掛けでき、側板３，５が変形して収容部７内の収容物を損傷する問題をも有効に解消できる。
【図面の簡単な説明】
【００５４】
【図１】本発明に係るラップ掛け板を形成したラップ掛け用紙製容器の第一実施形態例を示す斜視図。
【図２】Ａは上記ラップ掛け板を重畳せる側板との間に間隙を形成した例を示す図１におけるＡ−Ａ線断面図、Ｂは上記ラップ掛け板を側板に接着し貼り合わせ構造にした例を示す同Ａ−Ａ線断面図。
【図３】上記図２Ａの容器にラップ掛けした状態を示す上記Ａ−Ａ線断面図。
【図４】上記容器の展開図。
【図５】本発明に係るラップ掛け板を形成したラップ掛け用紙製容器の第二実施形態例を示す斜視図。
【図６】Ａは上記ラップ掛け板を重畳せる側板との間に間隙を形成した例を示す図５におけるＢ−Ｂ線断面図、Ｂは上記ラップ掛け板を容器側板と底板に接着し貼り合わせ構造にした例を示す同Ｂ−Ｂ線断面図。
【図７】上記図６Ａの容器にラップ掛けした状態を示す上記Ｂ−Ｂ線断面図。
【図８】上記容器の展開図。
【図９】上記ラップ掛け板下端の容器底板に対する他の貼り合わせ構造例を示す上記Ｂ−Ｂ線断面図。
【図１０】従来のラップ掛け用紙製容器の斜視図。
【図１１】図１０におけるラップ掛け用紙製容器がラップ掛けにより変形した状態を示すＣ−Ｃ線断面図。
【図１２】図１０におけるラップ掛け用紙製容器がラップ掛けにより変形した状態を示す平面図。
【符号の説明】
【００５５】
１…紙製容器、２…容器底板、３乃至６…容器側板、７…収容部、８…上部開放口、９…フィルム、１０…襠板、１１…折線、１２…折線、１３…ラップ掛け板、１４…接着、１５…間隙、１６…折り返し曲げ部分、１７…折線、１８…折り返し曲げ部分形成しろ、１９…折線、２０…接着フラップ、２１…重ね折片、Ｗ１…ラップ掛け板の上下方向の幅、Ｗ２…容器側板３，５の上下方向の幅。
【図１】
2008273552.tif 000003
【図２】
2008273552.tif 000004
【図３】
2008273552.tif 000005
【図４】
2008273552.tif 000006
【図５】
2008273552.tif 000007
【図６】
2008273552.tif 000008
【図７】
2008273552.tif 000009
【図８】
2008273552.tif 000010
【図９】
2008273552.tif 000011
【図１０】
2008273552.tif 000012
【図１１】
2008273552.tif 000013
【図１２】
2008273552.tif 000014